(57)【特許請求の範囲】
【請求項１】
移動通信端末が移動体通信網において移動体通信を行うために必要な情報である加入者情報を記憶する加入者認証モジュールを備える移動通信端末と、当該移動体通信網に含まれる制御システムとを含む移動体通信システムであって、
前記移動通信端末は、
前記加入者認証モジュールにおける加入者情報の切替を検出する検出手段と、
前記検出手段によって検出された加入者情報の切替に係る切替情報を前記制御システムに送信する切替情報送信手段と、を備え、
前記制御システムは、
前記移動通信端末から、前記切替情報を受信して記憶する切替情報記憶手段と、
前記切替前の加入者情報に対する発信を受け付けて、前記切替情報記憶手段によって記憶された切替情報を参照して、前記切替後の加入者情報に対して発信が行われるように制御を行う制御手段と、を備え、
前記検出手段は、前記加入者認証モジュールへ入力される情報のヘッダを監視して、監視結果に応じて当該加入者認証モジュールから加入者情報を読み出して、加入者情報の切替を検出する移動体通信システム。
【請求項２】
移動通信端末が移動体通信網において移動体通信を行うために必要な情報である加入者情報を記憶する加入者認証モジュールを備える移動通信端末と、当該移動体通信網に含まれる制御システムとを含む移動体通信システムにおける移動通信端末であって、
前記加入者認証モジュールにおける加入者情報の切替を検出する検出手段と、
前記検出手段によって検出された加入者情報の切替に係る切替情報を前記制御システムに送信する切替情報送信手段と、
を備え、
前記検出手段は、前記加入者認証モジュールへ入力される情報のヘッダを監視して、監視結果に応じて当該加入者認証モジュールから加入者情報を読み出して、加入者情報の切替を検出する移動通信端末。
【請求項３】
移動通信端末が移動体通信網において移動体通信を行うために必要な情報である加入者情報を記憶する加入者認証モジュールを備える移動通信端末と、当該移動体通信網に含まれる制御システムとを含む移動体通信システムの動作方法である通信制御方法であって、
前記移動通信端末が、
前記加入者認証モジュールにおける加入者情報の切替を検出する検出ステップと、
前記検出ステップにおいて検出された加入者情報の切替に係る切替情報を前記制御システムに送信する切替情報送信ステップと、
前記制御システムが、
前記移動通信端末から、前記切替情報を受信して記憶する切替情報記憶ステップと、
前記切替前の加入者情報に対する発信を受け付けて、前記切替情報記憶ステップにおいて記憶された切替情報を参照して、前記切替後の加入者情報に対して発信が行われるように制御を行う制御ステップと、
を含み、
前記検出ステップにおいて、前記加入者認証モジュールへ入力される情報のヘッダを監視して、監視結果に応じて当該加入者認証モジュールから加入者情報を読み出して、加入者情報の切替を検出する通信制御方法。
【請求項４】
移動通信端末が移動体通信網において移動体通信を行うために必要な情報である加入者情報を記憶する加入者認証モジュールを備える移動通信端末と、当該移動体通信網に含まれる制御システムとを含む移動体通信システムにおける移動通信端末の動作方法である通信制御方法であって、
前記加入者認証モジュールにおける加入者情報の切替を検出する検出ステップと、
前記検出ステップにおいて検出された加入者情報の切替に係る切替情報を前記制御システムに送信する切替情報送信ステップと、
を含み、
前記検出ステップにおいて、前記加入者認証モジュールへ入力される情報のヘッダを監視して、監視結果に応じて当該加入者認証モジュールから加入者情報を読み出して、加入者情報の切替を検出する通信制御方法。
【発明の詳細な説明】
【技術分野】
【０００１】
本発明は、移動体通信システム、移動通信端末及び通信制御方法に関する。
【背景技術】
【０００２】
従来から、移動体通信に係る技術として、ｅＵＩＣＣ（Embedded Universal Integrated Circuit Card）が知られている（例えば、特許文献１参照）。ｅＵＩＣＣは、移動通信端末が移動体通信網において移動体通信を行うために必要な加入者情報であるプロファイルを記憶した加入者認証モジュールであり、通常、移動通信端末に組み込まれている。新たなプロファイルが、移動通信端末にダウンロードされてｅＵＩＣＣに記憶されて活性化される（活性状態とされる）ことで、移動体通信を行うことができる移動体通信網（通信事業者、キャリア）を変更することができる。ハードウェアであるｅＵＩＣＣにおいて、プロファイルが書き換えられるソフトウェア部分はｅＳＩＭ（Embedded Subscriber Identity Module）と呼ばれる。
【先行技術文献】
【特許文献】
【０００３】
【特許文献１】特開２０１４−１９２５３５号公報
【発明の概要】
【発明が解決しようとする課題】
【０００４】
新たなプロファイルが活性化され、それに伴って古いプロファイルが非活性化される（非活性状態とされる）、即ち、プロファイルの切替が行われると、電話番号等の移動通信端末へ接続するための情報も当該新たなプロファイルに応じたものとなる。プロファイルの切替は、移動体通信網と独立に行われ得るため、古いプロファイルに係る移動体通信網では、古いプロファイルが記憶されていた移動通信端末においてプロファイルの切替がなされたことを把握することができない。そのため、古いプロファイルに示される電話番号へ発信を行ったとしても、移動通信端末への着信を行うことができなくなってしまう。即ち、プロファイルの切替によって、古いプロファイルに示される電話番号が利用できなくなる。これにより、ユーザの利便性が損なわれてしまうこととなる。
【０００５】
本発明は、上記に鑑みてなされたものであり、移動通信端末において加入者情報が切替られたとしても、古い加入者情報に対する発信によって移動通信端末との接続を可能にすることができる移動体通信システム、移動通信端末及び通信制御方法を提供することを目的とする。
【課題を解決するための手段】
【０００６】
上記目的を達成するために、本発明に係る移動体通信システムは、移動通信端末が移動体通信網において移動体通信を行うために必要な情報である加入者情報を記憶する加入者認証モジュールを備える移動通信端末と、当該移動体通信網に含まれる制御システムとを含む移動体通信システムであって、移動通信端末は、加入者認証モジュールにおける加入者情報の切替を検出する検出手段と、検出手段によって検出された加入者情報の切替に係る切替情報を制御システムに送信する切替情報送信手段と、を備え、制御システムは、移動通信端末から、切替情報を受信して記憶する切替情報記憶手段と、切替前の加入者情報に対する発信を受け付けて、切替情報記憶手段によって記憶された切替情報を参照して、切替後の加入者情報に対して発信が行われるように制御を行う制御手段と、を備える。
【０００７】
本発明に係る移動体通信システムでは、移動通信端末において加入者情報が切替られた際に移動通信端末によって当該切替が検出され、切替に係る切替情報が制御システムによって記憶される。切替前の（古い）加入者情報に対する発信が行われると、記憶された切替情報が参照されて、切替後の（新しい）加入者情報に対して発信が行われるように制御が行われる。これにより、本発明に係る移動体通信システムによれば、移動通信端末において加入者情報が切替られたとしても、古い加入者情報に対する発信によって移動通信端末との接続を可能にすることができる。
【０００８】
検出手段は、加入者認証モジュールへ入力される情報のヘッダを監視して、監視結果に応じて当該加入者認証モジュールから加入者情報を読み出して、加入者情報の切替を検出する。この構成によれば、移動通信端末が、加入者認証モジュールにおける加入者情報の切替を行うための情報（信号）のペイロード（情報の本体、通信内容）を参照できない状況においても、適切かつ確実に移動通信端末において加入者情報の切替の検出を行うことができる。
【０００９】
上記の移動体通信システムに含まれる移動通信端末は、それ自体が新規な構成を有しており発明に相当する。即ち、本発明に係る移動通信端末は、移動通信端末が移動体通信網において移動体通信を行うために必要な情報である加入者情報を記憶する加入者認証モジュールを備える移動通信端末と、当該移動体通信網に含まれる制御システムとを含む移動体通信システムにおける移動通信端末であって、加入者認証モジュールにおける加入者情報の切替を検出する検出手段と、検出手段によって検出された加入者情報の切替に係る切替情報を制御システムに送信する切替情報送信手段と、を備え、検出手段は、加入者認証モジュールへ入力される情報のヘッダを監視して、監視結果に応じて当該加入者認証モジュールから加入者情報を読み出して、加入者情報の切替を検出する。
【００１１】
ところで、本発明は、上記のように移動体通信システム及び移動通信端末の発明として記述できる他に、以下のようにそれらの動作方法である通信制御方法の発明としても記述することができる。これはカテゴリが異なるだけで、実質的に同一の発明であり、同様の作用及び効果を奏する。
【００１２】
即ち、本発明に係る通信制御方法は、移動通信端末が移動体通信網において移動体通信を行うために必要な情報である加入者情報を記憶する加入者認証モジュールを備える移動通信端末と、当該移動体通信網に含まれる制御システムとを含む移動体通信システムの動作方法である通信制御方法であって、移動通信端末が、加入者認証モジュールにおける加入者情報の切替を検出する検出ステップと、検出ステップにおいて検出された加入者情報の切替に係る切替情報を制御システムに送信する切替情報送信ステップと、制御システムが、移動通信端末から、切替情報を受信して記憶する切替情報記憶ステップと、切替前の加入者情報に対する発信を受け付けて、切替情報記憶ステップにおいて記憶された切替情報を参照して、切替後の加入者情報に対して発信が行われるように制御を行う制御ステップと、を含み、検出ステップにおいて、加入者認証モジュールへ入力される情報のヘッダを監視して、監視結果に応じて当該加入者認証モジュールから加入者情報を読み出して、加入者情報の切替を検出する。
【００１３】
また、本発明に係る通信制御方法は、移動通信端末が移動体通信網において移動体通信を行うために必要な情報である加入者情報を記憶する加入者認証モジュールを備える移動通信端末と、当該移動体通信網に含まれる制御システムとを含む移動体通信システムにおける移動通信端末の動作方法である通信制御方法であって、加入者認証モジュールにおける加入者情報の切替を検出する検出ステップと、検出ステップにおいて検出された加入者情報の切替に係る切替情報を制御システムに送信する切替情報送信ステップと、を含み、検出ステップにおいて、加入者認証モジュールへ入力される情報のヘッダを監視して、監視結果に応じて当該加入者認証モジュールから加入者情報を読み出して、加入者情報の切替を検出する。
【発明の効果】
【００１５】
本発明によれば、移動通信端末において加入者情報が切替られたとしても、古い加入者情報に対する発信によって移動通信端末との接続を可能にすることができる。
【図面の簡単な説明】
【００１６】
【図１】本発明の実施形態に係る移動体通信システムの構成を示す図である。
【図２】ｅＳＩＭに入力される情報の形式を示す図である。
【図３】移動通信端末におけるプロファイルの切替の検出の際の比較のパターンを示す図である。
【図４】記憶装置において情報を記憶するために用いられるテーブルを示す図である。
【図５】本発明の実施形態に係る移動体通信システムに含まれる移動通信端末のハードウェア構成を示す図である。
【図６】本発明の実施形態に係る移動体通信システムに含まれる記憶装置及び通信制御機器のハードウェア構成を示す図である。
【図７】本発明の実施形態に係る移動体通信システムで実行される処理（通信制御方法）を示すシーケンス図である。
【図８】本発明の実施形態に係る移動通信端末でプロファイルの切替の検出の際に実行される処理（通信制御方法の一部）を示すフローチャートである。
【発明を実施するための形態】
【００１７】
以下、図面と共に本発明に係る移動体通信システム、移動通信端末、制御システム及び通信制御方法の実施形態について詳細に説明する。なお、図面の説明においては同一要素には同一符号を付し、重複する説明を省略する。
【００１８】
図１に本実施形態に係る移動体通信システム１を示す。移動体通信システム１は、本実施形態に係る移動通信端末１０と、制御システム２０とを含んで構成されている。移動通信端末１０は、移動体通信網である通信事業者ネットワークＮ１，Ｎ２において（通信事業者ネットワークＮ１，Ｎ２に接続して）移動体通信を行う装置である。移動通信端末１０には、加入者認証モジュールであるｅＳＩＭ１１（上述したように、ハードウェアとしてはｅＵＩＣＣ）が備えられている。ｅＳＩＭ１１は、移動通信端末１０が通信事業者ネットワークＮ１，Ｎ２において移動体通信を行うために必要な情報である加入者情報であるプロファイル（ＵＩＣＣソフトウェア）を記憶している。プロファイルには、例えば、通信事業者から提供された契約情報であるＭＳＩＳＤＮ（Mobile Subscriber ISDN Number、電話番号）及びＩＭＳＩ（InternationalMobile Subscriber Identity）等が含まれる。
【００１９】
通信事業者毎に複数の通信事業者ネットワークＮ１，Ｎ２が存在している。プロファイルは、通信事業者ネットワークＮ１，Ｎ２（通信事業者）に応じたものとなっている。移動通信端末１０は、ｅＳＩＭ１１に記憶されたプロファイルに対応する通信事業者ネットワークＮ１，Ｎ２において移動体通信を行うことができる。例えば、ｅＳＩＭ１１に通信事業者ネットワークＮ１のプロファイルが記憶されていれば、移動通信端末１０は、通信事業者ネットワークＮ１において移動体通信を行うことができる。
【００２０】
ｅＳＩＭ１１に記憶されるプロファイルは書き換え可能とされており、プロファイルを書き換えることにより、移動通信端末１０が移動体通信を行うことができる通信事業者ネットワークＮ１，Ｎ２（通信事業者）を変更することができる。例えば、ｅＳＩＭ１１に記憶されているプロファイルが、通信事業者ネットワークＮ２のプロファイルに書き換えられると、移動通信端末１０は、通信事業者ネットワークＮ２において移動体通信を行うことができるようになり、通信事業者ネットワークＮ１においては移動体通信を行うことができなくなる。プロファイルの切替は、例えば、移動通信端末１０の操作、又は通信事業者ネットワークＮ１，Ｎ２側の制御により行われる。
【００２１】
なお、ｅＳＩＭ１１に記憶されているプロファイルのうち、活性化されたプロファイルを移動体通信に用いられるプロファイルとしてもよい。例えば、ｅＳＩＭ１１には、複数のプロファイルが記憶されており、そのうちの１つが活性化されて移動体通信に用いられ、それ以外が非活性化されていてもよい。活性化されたプロファイルを変更することで、プロファイルの切替を行う際にプロファイルのダウンロードを行わなくてもよくなる。
【００２２】
ｅＳＩＭ１１は、ＳＩＭ（ＳＩＭカード）とは異なり、通常、移動通信端末１０に固定的に組み込まれている。そのため、移動通信端末１０は、ＳＩＭの交換ができない、あるいは交換が難しい装置として、あるいはそのような装置に組み入れられて用いられることが多い。例えば、移動通信端末１０は、Ｍ２Ｍ（マシンツーマシン）の通信を行う装置として、あるいはそのような装置に組み入れられて用いられる。但し、本発明では、加入者認証モジュールは、ＳＩＭと同様に移動通信端末１０に着脱可能に装着されるものであってもよい。
【００２３】
移動通信端末１０は、ＳＭ（Subscription Manager）サーバ（図示せず）からプロファイルをダウンロードして、ｅＳＩＭ１１にプロファイルをインストールする（記憶させる）。ＳＭサーバは、移動通信端末１０に対してプロファイルを提供するサーバである。ＳＭサーバは、例えば、通信事業者によって設けられる。１つのＳＭサーバが複数の通信事業者ネットワークＮ１，Ｎ２に対応するプロファイルを移動通信端末１０に提供することとしてもよい。移動通信端末１０とＳＭサーバとは、通信事業者ネットワークＮ１，Ｎ２又は無線ＬＡＮ（ローカルエリアネットワーク）等を介して互いに情報を送受信することができる。また、移動通信端末１０とＳＭサーバとは、近距離無線通信によって互いに情報を送受信することとしてもよい。また、プロファイルの活性化及び非活性化の制御も、ＳＭサーバからの信号に基づいて行われる。
【００２４】
上述したようにプロファイルが切替られると、移動通信端末１０は、切替前のプロファイルでの移動体通信を行えなくなる。従って、通常、切替前のプロファイルに示されるＭＳＩＳＤＮに対して発信を行っても、移動通信端末１０に対する着信は行われない。例えば、移動通信端末１０において通信事業者ネットワークＮ２のプロファイルに切替られた後に、別の移動通信端末１０ａが、切替前の通信事業者ネットワークＮ１のプロファイルに示される（含まれる）ＭＳＩＳＤＮである番号Ａに対して発信を行っても、移動通信端末１０に対する着信は行われない。
【００２５】
上述したように従来の移動体通信システムでは、プロファイルの切替は、通信事業者ネットワークＮ１，Ｎ２と独立に行われ得るため、通信事業者ネットワークＮ１，Ｎ２では切替がなされたことを把握することができない。
【００２６】
制御システム２０は、移動通信端末１０においてプロファイルが切替られた場合に、切替前のプロファイルに対する発信によって移動通信端末１０との接続を可能にするためのシステムである。図１に示すように、制御システム２０は、記憶装置３０と、通信制御機器４０とを含んで構成されている。記憶装置３０と、通信制御機器４０とは、通信事業者ネットワークＮ１，Ｎ２に含まれる。本実施形態では、記憶装置３０と、通信制御機器４０とは、通信事業者ネットワークＮ１に含まれる。なお、複数の通信事業者ネットワークＮ１，Ｎ２にまたがって、記憶装置３０と通信制御機器４０とが配置されていてもよい。
【００２７】
記憶装置３０は、切替前のプロファイルに対する発信によって移動通信端末１０との接続を可能にするための情報を記憶する装置である。記憶装置３０は、例えば、ＨＬＲ（Home Location Register）である。あるいは、記憶装置３０は、既存の装置とは別の装置であってもよい。通信制御機器４０は、切替前のプロファイルに対する発信によって移動通信端末１０との接続を可能にするための制御を行う装置である。通信制御機器４０は、例えば、ＩＭＳ（IP Multimedia Subsystem）では、ＣＳＣＦ（Call StateControl Function）である。また、通信制御機器４０は、複数の装置によって構成されていてもよい。移動通信端末１０と、記憶装置３０と、通信制御機器４０とは、通信事業者ネットワークＮ１，Ｎ２等を介して互いに情報の送受信を行うことができる。記憶装置３０及び通信制御機器４０については、それぞれ具体的には後述する。
【００２８】
引き続いて、本実施形態に係る移動体通信システム１を構成する移動通信端末１０と、記憶装置３０と、通信制御機器４０との機能について説明する。図１に示すように、移動通信端末１０は、ｅＳＩＭ１１と、移動体通信部１２と、検出部１３と、切替情報送信部１４とを備えて構成されている。なお、ｅＳＩＭ１１以外の機能部１２〜１４は、移動通信端末１０自体の機能である（ｅＳＩＭ１１内部の機能ではない）。また、移動通信端末１０は、上記以外にも、従来の移動通信端末が備える機能を備えていてもよい。
【００２９】
ｅＳＩＭ１１は、上述したようにプロファイルを記憶する加入者認証モジュールである。ｅＳＩＭ１１は、従来のｅＳＩＭ１１と同様の構成でよい。具体的には、ｅＳＩＭ１１は、ｅＵＩＣＣに記憶されたｅＵＩＣＣ  ＯＳ（オペレーティングシステム）が動作することで機能する。また、ｅＳＩＭ１１には、プロファイルが記憶される領域が設けられている。また、ｅＳＩＭ１１に記憶されて活性化されるプロファイルは、上述したようにＳＭサーバから送信される情報（コマンド、信号）によって切替られる。
【００３０】
移動体通信部１２は、移動体通信を行う手段である。移動体通信部１２は、ｅＳＩＭ１１に記憶されて活性化されたプロファイルを用いて移動体通信を行う。移動体通信部１２の機能は、従来の移動通信端末の移動体通信機能と同様でよい。
【００３１】
検出部１３は、ｅＳＩＭ１１におけるプロファイルの切替を検出（検知）する検出手段である。検出部１３は、ｅＳＩＭ１１へ入力される情報のヘッダを監視して、監視結果に応じてｅＳＩＭ１１からプロファイルを読み出して、プロファイルの切替を検出する。
【００３２】
ｅＳＩＭ１１におけるプロファイルの切替は、ＳＭサーバから送信されて移動通信端末１０を経由してｅＳＩＭ１１に入力される情報によって行われる。標準仕様では、当該情報のペイロード（ｅＳＩＭ１１とＳＭサーバとの間の通信内容）は秘匿されている。従って、移動通信端末１０（の検出部１３）は、当該情報のペイロードを参照してプロファイルの切替を検出することができない。しかしながら、移動通信端末１０（の検出部１３）は、当該情報がｅＳＩＭ１１に入力されたこと（ＳＭサーバからｅＳＩＭ１１へのアクセス）、及び当該情報のヘッダについては、参照することができる。検出部１３は、それを利用して、プロファイルの切替を検出する。
【００３３】
検出部１３は、後述するようにｅＳＩＭ１１から読み出した活性化されているプロファイルを読み出した際に、読み出したプロファイルを、移動通信端末１０内部の領域に保持（記憶）しておく。検出部１３は、ｅＳＩＭ１１へ入力される情報のヘッダを監視する。ヘッダには、当該情報がプロファイルの切替に関するものであるか否かを示す情報が含まれている。検出部１３は、当該監視によって、ヘッダが、当該情報がプロファイルの切替を行うものであることを示すものであると判断した場合、ｅＳＩＭ１１から活性化されたプロファイルを読み出す。
【００３４】
当該情報のヘッダは、標準仕様で図２に示す形式（コマンドＡＰＤＵ（Application Protocol Data Unit）構成）となるように規定されている。なお、図２のテーブルは、ＩＳＯ  ７８１６−４のＴａｂｌｅ９に示されるものである。例えば、検出部１３は、ｅＳＩＭ１１へ入力される情報のヘッダのうち、図２に示す形式のＣＬＡバイトのｂｉｔ４を監視して、ｂｉｔ４＝１であった場合、当該情報がプロファイルの切替を行う可能性がある（プロファイルの切替に関する）ものであると判定する。検出部１３は、そのように判定した場合、ｅＳＩＭ１１から活性化されたプロファイルを読み出す。上記の判定に代えて、又は上記の判定に加えて、検出部１３は、ヘッダが、当該情報が通信事業者ネットワークＮ１，Ｎ２からの制御ＳＭＳ（ショートメッセージサービス）であることを示すものであった場合（ＣＬＡ＝８０，ＩＮＳ＝Ｃ２）、当該情報がプロファイルの切替を行う可能性があるものであるものと判定する。なお、検出部１３は、ｅＳＩＭ１１における当該情報に基づく処理が終了してから、活性化されたプロファイルをｅＳＩＭ１１から読み出す。
【００３５】
検出部１３は、保持しているプロファイルと、読み出したプロファイルとを比較し、当該比較によってプロファイルの切替を検出する。具体的には、図３に示す比較のパターンに従って検出を行う。検出部１３は、保持しているプロファイルと、読み出したプロファイルとが相違しており、かつそれらのプロファイルが両方ある場合、即ち、保持したプロファイルが“加入者情報Ａ”であり、読み出したプロファイルが“加入者情報Ｂ”である場合、プロファイルの切替（書き換え）があったと判断する（プロファイルの切替を検出する）。
【００３６】
また、検出部１３は、上記以外の判断を行うこととしてもよい。例えば、検出部１３は、保持しているプロファイルがなく、かつ読み出したプロファイルがない場合（読み出しに失敗した場合）、プロファイルに変更がないと判断する。また、検出部１３は、保持しているプロファイルがなく（活性化されたプロファイルがなく）、かつ読み出したプロファイルがある場合、新規にプロファイルがｅＳＩＭ１１に書き込まれた（新規にプロファイルが活性化された）と判断する。また、検出部１３は、保持しているプロファイルと、読み出したプロファイルとが同一である場合、プロファイルに変更がないと判断する。また、検出部１３は、保持しているプロファイルがあり、かつ読み出したプロファイルがない場合（読み出しに失敗した場合）、プロファイルがｅＳＩＭ１１から削除されたと判断する。検出部１３は、読み出したプロファイルをそれまでに保持していたプロファイルに代えて保持する。
【００３７】
検出部１３は、プロファイルの切替を検出すると、切替後のプロファイルを切替情報送信部１４に通知する。なお、検出部１３は、プロファイルの切替が行われた場合だけでなく、新規にプロファイルが書き込まれたと判断した場合、及びプロファイルが削除されたと判断した場合にも、切替後のプロファイルを切替情報送信部１４に通知してもよい。
【００３８】
なお、検出部１３によって、プロファイルの切替等が検出された場合に、当該切替等が発生したことを移動通信端末１０のユーザに通知することとしてもよい。例えば、この通知は、移動通信端末１０のユーザインタフェース上にその旨を表示することで行われる。特にＩＭＳＩの先頭５桁はＰＬＭＮ（Public Land Mobile Network Number）（ＭＣＣ（MobileCountry Code）／ＭＮＣ（Mobile Network Code））を示しており、これにより在圏する通信事業者ネットワークＮ１，Ｎ２（通信事業者）が変更されたことを判別することができる。ユーザへの通知に上記の判別についての情報を含めることとしてもよい。また、プロファイルの切替が行われた時刻（時間）を移動通信端末１０に記憶させておくことで、時系列にどれだけの時間どの通信事業者ネットワークＮ１，Ｎ２に在圏していたかが分かる。
【００３９】
切替情報送信部１４は、検出部１３によって検出されたプロファイルの切替に係る切替情報を記憶装置３０に送信する切替情報送信手段である。切替情報送信部１４は、検出部１３から通知された切替後のプロファイルを切替情報として、記憶装置３０に送信する。この際、ｅＳＩＭ１１を個体識別する情報であるＥＩＤ（ｅＳＩＭ  ＩＤ）をあわせて送信する。なお、ＥＩＤは、移動通信端末１０に予め記憶されている。切替情報送信部１４は、例えば、当該送信をＨＴＴＰＳ（Hypertext Transfer Protocol Secure）によって行う。プロファイルが切替られて切替情報を送信する前に、切替前のプロファイル（切替前の電話番号）でも着信を受けられるようにするか否かをユーザに確認することとしてもよい。例えば、移動通信端末１０において、「元番号Ａで着信を受け続けられるサービスを利用しますか？（Ｙ／Ｎ）」等のガイダンスを表示することとしてもよい。ユーザから切替前のプロファイルでも着信を受ける旨の入力があった場合に、切替情報送信部１４は、切替情報を送信することとしてもよい。
【００４０】
切替情報送信部１４は、検出部１３から通知された切替後のプロファイル（新規に書き込まれた場合、削除された場合も含んでもよい）に係る切替情報を、その度に記憶装置３０に送信することで記憶装置３０は、ｅＳＩＭ１１における切替後のプロファイルを把握することができる。
【００４１】
なお、非活性化されているプロファイルのうち、着信を可能とするプロファイルを予め、主契約に係るプロファイルとして決めておいてもよい。主契約に係るプロファイルは、例えば、ユーザが通信契約を結んでいる通信事業者に係るものである。この構成によれば、複数回、プロファイルの切替が行われた場合であっても、主契約に係るプロファイルに対する着信を可能にすることができる。例えば、主契約のプロファイルが番号Ａに係るものであり、番号Ａのプロファイルから、番号Ｂのプロファイルに切替られ、更に番号Ｃのプロファイルに切替られた場合にも、番号Ｃのプロファイルに対する発信によって番号Ａのプロファイルに対する着信を可能にすることができる。
【００４２】
例えば、切替情報送信部１４が、初めて記憶装置３０に送信する切替情報に係るプロファイルを主契約に係るプロファイルとすることとしてもよい。ｅＳＩＭ１１において、主契約のプロファイルについては非活性化される際に削除せず、主契約以外のプロファイルについては非活性化される際に削除することとしてもよい。
【００４３】
なお、検出部１３によるプロファイルの検出の際の読み出し、及び切替情報送信部１４によるプロファイルの送信は、必ずしもプロファイル全体を対象とするのではなく、プロファイルを特定し得る情報、例えば、プロファイルに含まれるＩＭＳＩ、ＭＳＩＳＤＮ又はＩＣＣＩＤ（IC Card IDentifier）等のみを対象とすることとしてもよい。以上が、移動通信端末１０の機能である。
【００４４】
図１に示すように記憶装置３０は、切替情報記憶部３１を備えて構成されている。切替情報記憶部３１は、移動通信端末１０から切替情報を受信して記憶する切替情報記憶手段である。記憶装置３０は、例えば、図４に示すテーブルで切替情報を記憶する。図４に示すようにこのテーブルは、ＥＩＤ、主契約ＩＭＳＩ、現在のＩＭＳＩ、主契約ＭＳＩＳＤＮ及び現在のＭＳＩＳＤＮが対応付けられた情報を格納する。ＥＩＤは、制御対象のｅＳＩＭ１１のＥＩＤである。移動通信端末１０から送信される切替情報には、ＥＩＤが対応付けられており、ＥＩＤをキーにしてプロファイルの切替の都度変更されていくＩＭＳＩやＭＳＩＳＤＮを一意に関連付けることが可能である。
【００４５】
主契約ＩＭＳＩ及び主契約ＭＳＩＳＤＮは、ｅＳＩＭ１１において非活性化されているが着信を可能とさせるプロファイルに含まれる情報である。主契約ＩＭＳＩ及び主契約ＭＳＩＳＤＮ（即ち、主契約のプロファイル）は、例えば、予め移動通信端末１０から記憶装置３０に送信されて記憶されている。現在のＩＭＳＩ及び現在のＭＳＩＳＤＮは、移動通信端末１０から受信された切替情報であるプロファイルに含まれる情報であり、ｅＳＩＭ１１において活性化されているプロファイルに含まれる情報である。記憶装置３０が記憶している情報は、通信制御機器４０によって参照される。以上が、記憶装置３０の機能である。
【００４６】
図１に示すように通信制御機器４０は、制御部４１を備えて構成されている。なお、通信制御機器４０は、上記以外にも、従来の通信制御機器が備える機能を備えていてもよい。制御部４１は、切替前のプロファイルに対する発信を受け付けて、記憶装置３０によって記憶された切替情報を参照して、切替後のプロファイルに対して発信が行われるように制御を行う制御手段である。
【００４７】
制御部４１は、別の移動通信端末１０ａから、切替前の（非活性化されている）通信事業者ネットワークＮ１のプロファイルに示される（含まれる）ＭＳＩＳＤＮである番号Ａに対する発信（番号Ａへの電話）の信号を受信する。制御部４１は、記憶装置３０に対して、当該プロファイルの切替後のプロファイルを問い合わせる。即ち、制御部４１は、記憶装置３０に対して番号Ａの所在確認を行う。記憶装置３０では、切替情報記憶部３１が当該問い合わせを受け付ける。なお、通信事業者ネットワークＮ１，Ｎ２（通信制御機器４０と記憶装置３０との間、及び通信制御機器４０と通信制御機器４０ａとの間）では、従来の通信事業者ネットワークと同様に移動通信端末１０を特定する情報としてＩＭＳＩが用いられてやり取りされることとしてもよい。即ち、上記の問い合わせは、ＩＭＳＩによって行われてもよい。また、上記の問い合わせは、従来の通信制御機器における処理として番号Ａに対する着信の処理が行えない場合（即ち、番号Ａの移動通信端末１０が通信事業者ネットワークＮ１に存在しない場合）のみに行われてもよい。
【００４８】
切替情報記憶部３１は、図４に示すテーブルにおいて、問い合わせに係るＩＭＳＩが主契約ＩＭＳＩとなっているレコードの現在のＩＭＳＩを、切替後のプロファイル（番号Ａの切替先である番号Ｂ）に係る情報として、問い合わせ元の通信制御機器４０に通知する。このように、ＩＭＳＩが用いられて制御が行われる場合、切替前後のプロファイルに係る情報として、ＭＳＩＳＤＮは用いられない。但し、ＭＳＩＳＤＮを用いた制御が行われてもよい。
【００４９】
制御部４１は、記憶装置３０からの通知を受け付け、当該通知によって示されるＩＭＳＩ（切替後のプロファイル）に対して発信が行われるように制御を行う。具体的には、当該ＩＭＳＩ（切替後のプロファイル）に対応する通信事業者ネットワークＮ２の通信制御機器４０ａに発信の信号（着信通知）を転送する。通信制御機器４０ａは、当該発信の信号を受信して、移動通信端末１０に対する着信の処理を行う。これにより、切替前の番号Ａに対する発信を行った移動通信端末１０ａと、切替後の番号Ｂである移動通信端末１０との間で通信接続が確立される。
【００５０】
なお、発信の転送に係る機能（切替情報記憶部３１及び制御部４１の機能の一部）については、従来のＭＮＰ（Mobile Number Portability）の仕組みを流用することが可能である。以上が、通信制御機器４０の機能である。
【００５１】
図５に本実施形態に係る移動通信端末１０のハードウェア構成を示す。図５に示すように、移動通信端末１０は、１つ以上のＣＰＵ（Central Processing Unit）１０１、主記憶装置であるＲＡＭ（RandomAccess Memory）１０２及びＲＯＭ（Read Only Memory）１０３、操作モジュール１０４、無線通信モジュール１０５、アンテナ１０６、ディスプレイ１０７、ｅＳＩＭモジュール１０８（ｅＳＩＭ１１のハードウェア（ｅＵＩＣＣ））等のハードウェアにより構成されている。これらの構成要素がプログラム等により動作することにより、上述した移動通信端末１０の機能が発揮される。
【００５２】
図６に本実施形態に係る記憶装置３０及び通信制御機器４０のハードウェア構成を示す。図６に示すように記憶装置３０及び通信制御機器４０は、１つ以上のＣＰＵ３０１、主記憶装置であるＲＡＭ３０２及びＲＯＭ３０３、通信を行うための通信モジュール３０４、並びにハードディスク等の補助記憶装置３０５等のハードウェアを備えるサーバ装置として構成される。これらの構成要素がプログラム等により動作することにより、上述した記憶装置３０及び通信制御機器４０の機能が発揮される。以上が、本実施形態に係る移動体通信システム１、及び移動体通信システム１に含まれる移動通信端末１０及び制御システム２０の構成である。
【００５３】
引き続いて、図７のシーケンス図及び図８のフローチャートを用いて、移動体通信システム１で実行される処理（移動体通信システム１、移動通信端末１０及び制御システム２０それぞれの動作方法）である通信制御方法を説明する。図７のシーケンス図を用いて、移動体通信システム１での処理全体を説明する。
【００５４】
本処理では、まず、移動通信端末１０において、検出部１３によって、ｅＳＩＭ１１におけるプロファイルの切替、即ち、番号Ａから番号Ｂへの切替が検出される（Ｓ０１、検出ステップ）。当該切替の検出の処理について、図８のフローチャートを用いて、より詳細に説明する。
【００５５】
切替の検出の処理では、まず、ＳＭサーバからｅＳＩＭ１１へのアクセス、即ち、ＳＭサーバからｅＳＩＭ１１への情報の入力が検出される（Ｓ１０１）。続いて、当該アクセスがプロファイルの書き換えに関するものであるか否か、即ち、ｅＳＩＭ１１に入力される情報がプロファイルの切替に関するものであるか否かが、当該情報のヘッダに基づいて判断される（Ｓ１０２）。当該アクセスがプロファイルの書き換えに関するものではない、即ち、ｅＳＩＭ１１に入力される情報がプロファイルの切替に関するものではないと判断された場合（Ｓ１０２のＮＯ）、切替の検出の処理は終了する。この場合、プロファイルの切替は検出されない。
【００５６】
当該アクセスがプロファイルの書き換えに関するものである、即ち、ｅＳＩＭ１１に入力される情報がプロファイルの切替に関するものであると判断された場合（Ｓ１０２のＹＥＳ）、ｅＳＩＭ１１から新たに活性化されたプロファイルが読み出される（Ｓ１０３）。続いて、検出部１３によって保持されたプロファイル（それまで活性化されていたプロファイル）と読み出されたプロファイルとが同一であるか否かが判断される（Ｓ１０４）。保持されたプロファイルと読み出されたプロファイルとが同一であると判断された場合（Ｓ１０４のＹＥＳ）、プロファイルの書き換えがない、即ち、プロファイルの切替がないと判断される（Ｓ１０５）。
【００５７】
保持されたプロファイルと読み出されたプロファイルとが相違していると判断された場合（Ｓ１０４のＮＯ）、続いて、保持されたプロファイルがないか否かが判断される（Ｓ１０６）。保持されたプロファイルがないと判断された場合（Ｓ１０６のＹＥＳ）、新規にプロファイルがｅＳＩＭ１１に書き込まれたと判断される（Ｓ１０７）。
【００５８】
保持されたプロファイルがあると判断された場合（Ｓ１０６のＮＯ）、続いて、読み出したプロファイルがないか否か（プロファイルの読み出しに失敗したか否か）が判断される（Ｓ１０８）。読み出したプロファイルがない（プロファイルの読み出しに失敗した）と判断された場合（Ｓ１０８のＹＥＳ）、プロファイルがｅＳＩＭ１１から削除されたと判断される（Ｓ１０９）。
【００５９】
読み出したプロファイルがある（プロファイルの読み出しに成功した）と判断された場合（Ｓ１０８のＮＯ）、プロファイルの切替（書き換え）があったと判断される（Ｓ１１０）。即ち、この場合、プロファイルの切替が検出される。上記のように各判断が行われた（Ｓ１０５、Ｓ１０７、Ｓ１０９、Ｓ１１０）後、検出部１３によって、読み出したプロファイルがそれまでに保持されていたプロファイルに代えて保持される（Ｓ１１１）。即ち、保持されたプロファイルが更新される。以上が、切替の検出の処理である。
【００６０】
上記の判断（Ｓ１０５、Ｓ１０７、Ｓ１０９、Ｓ１１０）のうち、図７のｅＳＩＭ１１におけるプロファイルの切替、即ち、番号Ａから番号Ｂへの切替の検出（Ｓ０１）に相当するのは、Ｓ１１０の判断である。従って、切替の検出の処理において、プロファイルの切替があったと判断された場合（Ｓ１１０）に、図７のＳ０２以降の処理に進む。なお、上述したようにプロファイルが新規に書き込まれた場合（Ｓ１０７）、及び削除された場合（Ｓ１０９）も、上記の場合と同様にＳ０２以降の処理を行うこととして、記憶装置３０においてｅＳＩＭ１１における切替後のプロファイルを把握できるようにしておいてもよい。
【００６１】
続いて、図７に戻り、Ｓ０１の後の処理を説明する。Ｓ０１の後、検出部１３によって検出されたプロファイルの切替に係る切替情報が、切替情報送信部１４によって記憶装置３０に送信される。具体的には、切替後のプロファイルが切替情報としてｅＳＩＭ１１のＥＩＤと共に送信される（Ｓ０２、切替情報送信ステップ）。
【００６２】
記憶装置３０では、切替情報記憶部３１によって、切替後のプロファイルとＥＩＤとが受信されて記憶される（Ｓ０２，Ｓ０３、切替情報記憶ステップ）。具体的には、図４に示すテーブルの受信したＥＩＤのレコードの現在のＩＭＳＩ及び現在のＭＳＩＳＤＮの欄に、受信したプロファイルに示されるＩＭＳＩ及びＭＳＩＳＤＮが格納される。以上が、移動通信端末１０のｅＳＩＭ１１において、プロファイルの切替が行われた際の処理である。
【００６３】
引き続いて、切替前のプロファイル、即ち、番号Ａに対する発信（番号Ａへの電話）が行われる際の処理を説明する。移動通信端末１０のプロファイル（電話番号）が切替られたことを知らない別のユーザの移動通信端末１０ａから、番号Ａに対する発信が行われる（Ｓ１１）。当該発信は、番号Ａに対応する通信事業者ネットワークＮ１の通信制御機器４０の制御部４１によって受け付けられる（Ｓ１１、制御ステップ）。続いて、制御部４１によって、記憶装置３０に対して、当該番号Ａ（切替前のプロファイル）の切替後の番号（切替後のプロファイル）が、番号Ａに対応するＩＭＳＩが用いられて問い合わせられる（Ｓ１２、制御ステップ）。即ち、制御部４１によって、記憶装置３０に対して番号Ａの所在確認が行われる。
【００６４】
記憶装置３０では、切替情報記憶部３１によって、当該問い合わせが受け付けられて、図４に示すテーブルにおいて、当該問い合わせに係るＩＭＳＩが主契約ＩＭＳＩとなっているレコードの現在のＩＭＳＩが、切替後のプロファイル（番号Ａの切替先である番号Ｂ）に係る情報として、問い合わせ元の通信制御機器４０に通知される（Ｓ１２，Ｓ１３）。
【００６５】
通信制御機器４０では、制御部４１によって、記憶装置３０からの通知が受け付けられ、当該通知によって示されるＩＭＳＩ（切替後のプロファイル）に対して発信が行われるように制御が行われる（Ｓ１３，Ｓ１４、制御ステップ）。具体的には、当該ＩＭＳＩ（切替後のプロファイル）に対応する通信事業者ネットワークＮ２の通信制御機器４０ａに発信の信号（着信通知）が転送される。通信事業者ネットワークＮ２の通信制御機器４０ａでは、当該発信の信号が受信されて、移動通信端末１０に対する着信の処理が行われる（Ｓ１５）。これにより、切替前の番号Ａに対する発信を行った移動通信端末１０ａと、切替後の番号Ｂである移動通信端末１０との間で通信接続が確立される。以上が、移動体通信システム１で実行される処理である。
【００６６】
上述したように本実施形態では、移動通信端末１０においてプロファイルが切替られた際に移動通信端末１０によって当該切替が検出され、切替に係る切替情報が記憶装置３０によって記憶される。切替前の（古い）プロファイルに対する発信が行われると、記憶された切替情報が参照されて、切替後の（新しい）プロファイルに対して発信が行われるように制御が行われる。これにより、本実施形態によれば、移動通信端末１０においてプロファイルが切替られたとしても、古いプロファイルに対する発信によって移動通信端末１０との接続を可能にすることができる。
【００６７】
また、これにより、プロファイルの切替が行われた場合の通信の接続を、ＯＴＴ（Over The Top）による通信ソフトウェア等を用いずに移動体通信システム１の機能のみにより行うことができる。
【００６８】
また、本実施形態のように移動通信端末１０は、ｅＳＩＭ１１へ入力される情報のヘッダを監視して、プロファイルの切替を検出することとしてもよい。この構成によれば、情報が秘匿されていることにより、移動通信端末１０が、ｅＳＩＭ１１におけるプロファイルの切替を行うための情報（信号）のペイロード（情報の本体）を参照できない状況においても、常にプロファイルを読み出す必要なく、かつ直ちにプロファイルの切替の検出を行うことができる。即ち、この構成によれば、適切かつ確実に移動通信端末１０においてプロファイルの切替の検出を行うことができる。但し、ヘッダの監視によるプロファイルの切替は、必ずしも行われる必要はない。例えば、一定時間毎にｅＳＩＭ１１からプロファイルを読み出して、プロファイルの切替の検出を行うこととしてもよい。
【００６９】
また、上述した実施形態では、切替情報として、切替後のプロファイルを移動通信端末１０から、記憶装置３０に送信することとしていたが、切替情報として、切替前後のプロファイルを送信することとしてもよい。この切替情報が参照されて、切替前のプロファイルに対する発信によって、切替後のプロファイルに対する着信が行われることとしてもよい。
【符号の説明】
【００７０】
１…移動体通信システム、１０…移動通信端末、１１…ｅＳＩＭ、１２…移動体通信部、１３…検出部、１４…切替情報送信部、１０１…ＣＰＵ、１０２…ＲＡＭ、１０３…ＲＯＭ、１０４…操作モジュール、１０５…無線通信モジュール、１０６…アンテナ、１０７…ディスプレイ、１０８…ｅＳＩＭモジュール、２０…制御システム、３０…記憶装置、３１…切替情報記憶部、４０…通信制御機器、４１…制御部、３０１…ＣＰＵ、３０２…ＲＡＭ、３０３…ＲＯＭ、３０４…通信モジュール、３０５…補助記憶装置、Ｎ１，Ｎ２…通信事業者ネットワーク。
【図１】
0006751585.tif 000002
【図２】
0006751585.tif 000003
【図３】
0006751585.tif 000004
【図４】
0006751585.tif 000005
【図５】
0006751585.tif 000006
【図６】
0006751585.tif 000007
【図７】
0006751585.tif 000008
【図８】
0006751585.tif 000009